(57)【要約】【課題】現在市販されている押し車は、手前に重心があり、前が浮いたり等、不安定で幼児が転んだりまた、同じ物が動くだけなので、飽きやすく、さらに幼児が成長すれば、すぐ使わなくなり、他の用途もないので、不用品となる等の問題があった。【解決手段】前輪にカムを取り付けて、重心を中央付近に置き、いないいないバアーを取り付ける事により表情が豊かになり、またネジにより他の物と簡単に交換できたり、付属の部品を使えば、紙芝居や、操り人形劇が出来る押し車。【選択図】    図６
2006204870.tif 000002
【特許請求の範囲】
【請求項１】
いないいないバアーをしている動物や人形を取り付けた押し車。
【請求項２】
押し車の車輪を外し、付属の部品を取り付ければ、紙芝居や、操り人形劇も出きる、押し車。
【請求項３】
押し車に取り付けている動物や人形を、ネジで簡単に取り換え出来る押し車。
【請求項４】
手のひらで使える手動式のミニタイプいないいないバアー。
【発明の詳細な説明】
【技術分野】
【０００１】本発明は、動物の形、及び人形が動いたり、紙芝居や操り人形劇も出来る押し車に関する。
【背景技術】
【０００２】従来の押し車は、よちよち歩きの幼児が数ヶ月間歩行練習に使うものである。（例えば非特許文献１参照）【０００３】
【非特許文献１】  「コイデ押し車」有限会社コイデ東京
【発明の開示】
【発明が解決しようとする課題】
【０００４】従来の押し車は、後輪が前進すれば軸に取り付けた棒が動物等の棒を上から押さえて動く仕組みになっているので、荷重がどうしても後ろに偏より、前輪が浮いた状態になりやすく、幼児が転ぶ事が多かった。【０００５】また、動物等を取り付けても、斜めに少し上がるだけで表情が無く、ただカタカタと音がするだけで味気なかった。【０００６】また、幼児が歩行に馴れてくると、同じ動物が動くだけなので飽きやすい事が多かった。【０００７】また、幼児が成長すると、使う事が無く物置に置くか、捨てる事が多かった。【０００８】本発明は、このような従来の構成が有していた問題を、解決しようとするものであり、幼児が安全に使用出来て、しかも親子のふれあいを深くし、情緒豊かに育ち、さらに、物を大切に長く使う心を養う事を目的とするものである。
【課題を解決するための手段】
【０００９】本発明は、上記目的を達成するために、前輪の軸にカムを備え、これが回転しスライド板を動かせて、スプリングを経由して腕が左右に振れて、いないいないバアーをする事を基本的特徴とする。【００１０】また、動物や人形を取り付けているエル金具を外せば簡単に他の物と交換出来る。【００１１】年齢が上がって使用しなくなっても、付属の部品により、紙芝居や操り人形劇が出来る。
【発明の効果】
【００１２】本発明のいないいないバアー押し車は、バランスが良く安定している。【００１３】動物や人形の顔を腕が振れて、隠したり出したりするので表情が豊かである。【００１４】幼児が飽きると、動物や人形を簡単に交換出来るので、長く使える。【００１５】紙芝居や人形劇が幼児の目の前で出来るので、テレビやパソコン等に無い、立体的な臨場感があり、特に親が行えば情操教育に良い。【００１６】手のひらで使える手動式のミニタイプいないいないバアーにあっては、幼児が押し車を使う前頃に親が、あやすのに適している。
【発明を実施するための最良の形態】
【実施例】
【００１７】以下、本発明の実施の形態を図１〜図１３に基づいて説明する。【００１８】図１は押し車の分解図である。【００１９】前輪軸５−Ａにカム２９を中心に、ワッシャ３０、スプリングワッシャ５０、ナット５２・５３とワッシャ３０−Ａ、ナット５１・５４で挟む。【００２０】また、仕切２１を中心に前輪軸５−Ａを縦枠２０の前輪軸穴４９に、後輪軸５−Ｂを縦枠２０の後輪軸穴４８に通して、横枠１９を組む。【００２１】縦枠２０から出た前輪軸５−Ａに３の前輪を中心に６２ナット、６１スプリングワッシャ、６０ワッシャ、５９ワッシャ、５８スプリングワッシャ、５７ナットで締め付ける。また、遊びを持たせるために、ワッシャ５６・５５がある。【００２２】また、同じく縦枠から出た後輪軸５−Ｂに４の後輪を中心に６３ナット、６４スプリングワッシャ、６５ワッシャ、６６ワッシャ、６７スプリングワッシャ、６８ナットで締め付ける。また、遊びを持たせるために、ワッシャ６９・７０がある。【００２３】また、２の本体台には、２３の本体通し穴があけられており、２０の縦枠に取り付けられている。【００２４】図２はクマの、いないいないバアーを分解した図である。【００２５】スライド板２２には、カム２９が当る所に、受金２７が２８受金用ビスで４１受金取り付け穴に固定される。【００２６】また、スライド板２２には、作動板受け１１が１３作動板受け用ビスで固定される。【００２７】また、３７作動板受け上穴は、３６作動板下穴に重なり、１２作動板受け用ボルトで、つながれる。【００２８】また、スプリング２４は、作動板１０の作動板スプリング穴３５と３１うでスプリング穴に入る。【００２９】また、うで８は、９うで用ボルトにより３３うでワッシャを通して、３４うで取り付け穴に入る。【００３０】また、１４ガイドは、２２スライド板を挟んで４２ガイド取り付けビスにより、４３ガイド取り付けビス穴を通り、４４ガイド取り付け本体穴に固定される。【００３１】図３は、カム２９が回転し、２７受金を押し上げて、２２スライド板が上がり、２４スプリングが８うでを曲げて、いないいない、をしている断面図である。【００３２】図４は押し車に取り付けたクマの、いないいないバアーが、いないいない、をしている斜視図である。【００３３】図５は、カム２９が回転し下に下がったので２２スライド板が下がり、２４スプリングも元に戻り、８うでが垂直になって、バアーをしている断面図である。【００３４】また、１のクマ本体は２５エル金具と２６エル金具固定ビスにより、２本体台に取り付けられている。【００３５】図６は、バアーをしている斜視図である。【００３６】図７は、押し車のハンドル１６、サイドバー１５、ひかえ１７の分解図である。【００３７】図８は、前輪３、後輪４を外し、紙芝居をする時の斜視図である。【００３８】縦枠２０は、７５紙芝居用足に入り、７１紙芝居用上枠は１９横枠に、７２紙芝居用下枠は、２０縦枠に取り付けられる。【００３９】図９は、男の幼児７８が母親７７に紙芝居をしてもらっている図である。【００４０】図１０は、７９操り人形劇用ステージを８１ステージ用ビスで８０ステージビス穴を通して２１仕切りに取り付ける斜視図である。【００４１】図１１は、父親８３が７９操り人形劇用ステージで８２操り人形を使っていて、それを見ている８４は、女の幼児である。【００４２】図１２は、手のひらで使える、ブタのいないいないバアーである。【００４３】右手８８で、８６手動用スライド板を引けば、８うでが下がり、バアーをして顔が見える。【００４４】図１３は右手８８で８６手動用スライド板を押し上げると８うでが曲がり、いないいないをしている斜視図である。【００４５】図１４非特許文献は、押し車８９に９０あひるを乗せている。【００４６】以上のように、本実施形態によれば、幼児が安心して長く使えて心豊かに成長することを目的とした押し車を提供するものである。
【図面の簡単な説明】寸法、形状の比例関係は、分かりやすくするために、誇張して描いており、また左右同じの箇所や重複する説明は、省略している。【図１】本発明の押し車を分解した斜視図である。
【図２】同じくクマのいないいないバアーの分解図である。
【図３】同じくカムが回転してクマが、いないいないをしている断面図である。
【図４】同じく押し車に取り付けたクマが、いないいないをしている斜視図である。
【図５】同じくカムが回転してクマがバアーをしている断面図である。
【図６】同じく押し車に取り付けたクマがバアーをしている斜視図である。
【図７】同じく押し車のハンドル部分の分解図である。
【図８】同じく押し車を紙芝居が出来るようにするための斜視図である。
【図９】同じく母親が男の幼児に紙芝居を見せている図である。
【図１０】同じく押し車を、操り人形劇が出来るようにするための斜視図である。
【図１１】同じく父親が女の幼児に、操り人形劇を見せている図である。
【図１２】同じく手のひらでブタの、いないいないバアーを動かせて、バアーをさせている図である。
【図１３】同じく手のひらでブタの、いないいないバアーを動かせて、いないいない、をさせている図である。
【図１４】非特許文献１で、押し車の斜視図である。
【符号の説明】
【００４７】  １      クマ本体
２      本体台
３      前輪
４      後輪
５−Ａ  前輪軸
５−Ｂ  後輪軸
６      スプリングワッシャ
７      ワッシャ
８      うで
９      うで用ボルト
１０      作動板
１１      作動板受け
１２      作動板受け用ボルト
１３      作動板受け用ビス
１４      ガイド
１５      サイドバー
１６      ハンドル
１７      ひかえ
１８      サイドバー用ビス
１９      横枠
２０      縦枠
２１      仕切
２２      スライド板
２３      本体通し穴
２４      スプリング
２５      エル金具
２６      エル金具固定ビス
２７      受金
２８      受金用ビス
２９      カム
３０      カム用ワッシャ
３０−Ａ  カム用ワッシャ
３１      うでスプリング穴
３２      うで用ボルト穴
３３      うでワッシャ
３４      うで取り付け穴
３５      作動板スプリング穴
３６      作動板下穴
３７      作動板受け上穴
３８      作動板受け下穴
３９      作動板受取り付け下穴
４０      受金用ビス穴
４１      受金取り付け穴
４２      ガイド取り付けビス
４３      ガイド取り付けビス穴
４４      ガイド取り付け本体穴
４５      ハンドル用ホゾ穴
４６      ひかえ用ホゾ穴
４７      ひかえ取り付け穴
４８      後輪軸穴
４９      前輪軸穴
５０      カム用スプリングワッシャ
５１      カム用ナット
５２      カム用ナット
５３      カム用ナット
５４      カム用ナット
５５      前輪用ワッシャ
５６      前輪用ワッシャ
５７      前輪用ナット
５８      前輪用スプリングワッシャ
５９      前輪用ワッシャ
６０      前輪用ワッシャ
６１      前輪用スプリングワッシャ
６２      前輪用ナット
６３      後輪用ナット
６４      後輪用スプリングワワッシャ
６５      後輪用ワッシャ
６６      後輪用ワッシャ
６７      後輪用スプリングワッシャ
６８      後輪用ナット
６９      後輪用ワッシャ
７０      後輪用ワッシャ
７１      紙芝居用上枠
７２      紙芝居用下枠
７３      紙芝居用枠下穴
７４      紙芝居用枠ビス
７５      紙芝居用足
７６      紙芝居用絵
７７      母親
７８      男の幼児
７９      操り人形劇用ステージ
８０      ステージビス穴
８１      ステージ用ビス
８２      操り人形
８３      父親
８４      女の幼児
８５      ブタ
８６      手動用スライド板
８７      左手
８８      右手
８９      押し車
９０      あひる
【図１】
2006204870.tif 000003
【図２】
2006204870.tif 000004
【図３】
2006204870.tif 000005
【図４】
2006204870.tif 000006
【図５】
2006204870.tif 000007
【図６】
2006204870.tif 000008
【図７】
2006204870.tif 000009
【図８】
2006204870.tif 000010
【図９】
2006204870.tif 000011
【図１０】
2006204870.tif 000012
【図１１】
2006204870.tif 000013
【図１２】
2006204870.tif 000014
【図１３】
2006204870.tif 000015
【図１４】
2006204870.tif 000016